(57)【要約】【課題】  薄型化、小型化を図ることができると共に、コイルの渡り線を損傷することなく確実に組み付けることができるステータ、モータおよび記録媒体駆動装置を提供する。【解決手段】  軸線回りに回転する永久磁石の周囲を囲むように配置された環状部１１ａと、環状部１１ａに基端が固定されるとともに所定角度毎に永久磁石に向かう半径方向に延出するように形成された複数の歯極部１１ｂと、複数の歯極部１１ｂの先端にそれぞれ形成された先端部１１ｃと、を有するステータコア１１が複数枚積層され、積層されたステータコア１１の歯極部１１ｂにコイル１２が巻回されるステータにおいて、積層されたステータコア１１における最上面のステータコア５１の外径が、下方に位置するステータコアの外径より大きく形成されているとともに、最上面のステータコア５１の環状部１１ａの外周縁部にコイル１２を係止するための切欠部２２が形成されている。【選択図】  図３
2009060693.tif 000002
【特許請求の範囲】
【請求項１】
軸線回りに回転する永久磁石の周囲を囲むように配置され、
前記軸線を中心として環状に形成された環状部と、該環状部に基端が固定されるとともに所定角度毎に前記永久磁石に向かう半径方向に延出するように形成された複数の歯極部と、該複数の歯極部の先端にそれぞれ形成されて前記永久磁石の外周面に対向する先端部と、を有するステータコアが複数枚積層され、該積層されたステータコアの歯極部にコイルが巻回されるステータにおいて、
前記積層されたステータコアにおける最上面のステータコアの外径が、下方に位置するステータコアの外径より大きく形成されているとともに、
前記最上面のステータコアの環状部の外周縁部に前記コイルを係止するための切欠部が形成されていることを特徴とするステータ。
【請求項２】
前記積層されたステータコアにおける最下面のステータコアの外径が、前記最上面のステータコアの下方に位置するステータコアの外径より大きく形成されていることを特徴とする請求項１に記載のステータ。
【請求項３】
前記最下面のステータコアの環状部の外周縁部に前記コイルを係止するための切欠部が形成されていることを特徴とする請求項２に記載のステータ。
【請求項４】
請求項１〜３のいずれかに記載のステータと、
前記永久磁石を保持した状態で前記軸線回りに回転可能に支持された軸体と、を備えていることを特徴とするモータ。
【請求項５】
請求項４に記載のモータと、
前記軸体に設けられ、各種情報を記録可能な記録媒体を保持する保持部と、
前記軸体を前記軸線回りに回転可能に支持する軸受部と、を備えていることを特徴とする記録媒体駆動装置。
【発明の詳細な説明】
【技術分野】
【０００１】
本発明は、磁気ディスクなどを駆動するためのスピンドルモータに用いられるステータ、該ステータを有するモータおよび該モータを有する記録媒体駆動装置に関するものである。
【背景技術】
【０００２】
近年、ハードディスクドライブ装置（ＨＤＤ）を用いた情報記録再生装置は、携帯音楽再生装置や携帯電話機などに採用され始めている。特に、携帯型の情報記録再生装置は、その利便性から今後の主流となるものであり、さらなる小型化および薄型化が求められている。これに伴い、ＨＤ（ハードディスク）を駆動するモータの小型化および薄型化の改良がなされてきた。
【０００３】
ここで、一般的なモータを有する記録媒体駆動装置について、図８から図１０を参照して簡単に説明する。この記録媒体駆動装置４０は、図８に示すように、コイル４１及びステータコア４２を有するステータ部４３と、永久磁石４４及びハブ４５を有するロータ部４６とを備えている。ハブ４５は、スリーブ４７によって軸線Ｌ回りに回転可能に支持されており、ディスクＤの中心孔に嵌合する嵌合部４５ａが上端に形成されている。これによりハードディスクＤは、ハブ４５に固定されている。また、ハブ４５の外周には、ステータコア４２に所定距離を空けて対向するように永久磁石４４が固定されている。
【０００４】
スリーブ４７は、ベース４８に固定されており、ハブ４５を回転可能に支持している。この際、スリーブ４７とハブ４５との間には、若干の隙間が確保されており、この隙間にオイルＷが充填されている。そして、ハブ４５或いはスリーブ４７の外表面には、へリングボーン溝と呼ばれる図示しないラジアル動圧発生溝及びスラスト動圧発生溝が適宜形成されている。これにより、ハブ４５は軸線Ｌ回りに回転したときに、スラスト方向及びラジアル方向にぶれることなく、安定して回転するようになっている。つまり、ハブ４５は、流体動圧軸受によって支持された状態となっている。
【０００５】
上記ステータコア４２は、図９に示すように、環状に形成されたコアバック４２ａと、該コアバック４２ａに基端側が固定されると共に、半径方向に延出するように形成された複数の歯極部（ティース）４２ｂとを備えている。また、このステータコア４２は、コアバック４２ａ側でベース４８に支持されている。歯極部４２ｂは、軸線Ｌ回りに所定角度毎に形成されており、その数（スロット数）が３の倍数となるように形成されている。例えば、４０度毎の９スロットだけ形成されている。
【０００６】
また、コイル４１は、この複数の歯極部４２ｂの周囲にそれぞれ巻回されている。この際、３相（Ｕ相、Ｖ相、Ｗ相）となるように、１本の導線が３つおきに（間を２つ空けて）巻回されている。このとき、コイル４１とコイル４１との間は渡り線４１ａが架設されている。
【０００７】
このように構成された記録媒体駆動装置４０によりハードディスクＤを駆動させる場合には、まず、コイル４１に三相交流電流を供給してコイル４１に磁界を発生させる。この磁界は、歯極部４２ｂを介して永久磁石４４に作用して、ロータを軸線Ｌ回りに回転させる。これにより、嵌合部４５ａによってロータ部４６に固定されているディスクＤを回転させることができる。
【０００８】
ところで、上述したようにモータには、今後に向けてより一層の小型化及び薄型化が求められている。しかしながらコイル４１の渡り線４１ａは、図１０に示すように、ステータコア４２の外周面に沿うように、つまりステータコア４２の外周面から露出して架設されているため、コイル４１が巻回された状態でステータ４３をベース４８に取りつけようとすると、コイル４１の渡り線４１ａがベース４８の側壁４８ａと接触してコイル４１（渡り線４１ａ）が損傷してしまう虞があった。
【０００９】
そこで、特許文献１のように、コアバックの外周部に２箇所切欠き（渡り線係止部）を設け、その間にコイルの渡り線を通したものが提案されている。また、特許文献２のように、ステータコアに周方向に間隔をおいて隣接するティース間に係止突起を設け、コイルの渡り線を係止突起に係止したものが提案されている。
【特許文献１】特開２００６−３０４３９７号公報
【特許文献２】特許第３４８５８１０号公報
【発明の開示】
【発明が解決しようとする課題】
【００１０】
ところで、特許文献１のステータでは、渡り線が渡り線係止部に引っ掛けられることによりコアバックの外周面よりも内側にて係止されるが、渡り線係止部がステータの厚み方向に突き出すように設けられることにより薄型化に支障が出るという問題があった。
また、特許文献２のステータでは、ステータコアの外周面にはコイルの渡り線が無いため、ベース側壁との接触を防止することができるものの、ステータの表面に渡り線が露出するため、ステータの組み込み時に他の部品や治工具が接触する虞があった。また、特許文献２の図５のような構成では、ステータの外形が大きくなるため、小型化に支障が出るという問題があった。
【００１１】
そこで、本発明は、上記事情を鑑みてなされたものであり、薄型化、小型化を図ることができると共に、コイルの渡り線を損傷することなく確実に組み付けることができるステータ、モータおよび記録媒体駆動装置を提供するものである。
【課題を解決するための手段】
【００１２】
上記の課題を解決するために、本発明は以下の手段を提供する。
本発明に係るステータは、軸線回りに回転する永久磁石の周囲を囲むように配置され、前記軸線を中心として環状に形成された環状部と、該環状部に基端が固定されるとともに所定角度毎に前記永久磁石に向かう半径方向に延出するように形成された複数の歯極部と、該複数の歯極部の先端にそれぞれ形成されて前記永久磁石の外周面に対向する先端部と、を有するステータコアが複数枚積層され、該積層されたステータコアの歯極部にコイルが巻回されるステータにおいて、前記積層されたステータコアにおける最上面のステータコアの外径が、下方に位置するステータコアの外径より大きく形成されているとともに、前記最上面のステータコアの環状部の外周縁部に前記コイルを係止するための切欠部が形成されていることを特徴としている。
【００１３】
この発明に係るステータにおいては、まず、ステータコアを形成する。つまり、珪素鋼板などの磁性体の平板を加工して、環状部と複数の歯極部と先端部とからなるステータコアを複数形成する。その際、最上面に配置されるステータコアとそれ以外の下方に配置されるステータコアとの外径が異なるように形成する。具体的には、最上面のステータコアの環状部をそれ以外の下方に配置されるステータコアの環状部より径方向に長くなるように形成する。また、最上面のステータコアの環状部の外周縁部に切欠部を形成する。切欠部は例えば、歯極部が形成された径方向の軸線と環状部の外周縁部との交点付近に形成する。
【００１４】
このように形成した複数のステータコアを積層すると、最上面のステータコアの外周縁部とその下方に配置されるステータコアの外周縁部との間に段差が構成される。
このステータコアにコイルを巻回する場合、コイルは３相（Ｕ相、Ｖ相、Ｗ相）を構成するため、３本の導線を用いて巻回される。ある一つの歯極部にコイルを巻回した後、コイル線を切欠部に係止してステータコアの外周面に沿うように渡り線として架設する。このとき、渡り線はステータコアの外周に形成された段差に収まるように配設する。
【００１５】
このように構成することで、コイルを巻回したステータをベースに取り付ける際にコイルの渡り線がベースに接触することを防止することができる。したがって、コイルの渡り線を損傷することなくステータをベースに確実に組み付けることができる。また、ステータコアには最上面に切欠部が形成されているだけであるため、ステータの厚みを増すことなく薄型化を図ることができる。さらに、ステータコアの外周縁部より突出した位置に係止部などが設けられていないため、小型化を図ることができる。
【００１６】
また、本発明に係るステータは、前記積層されたステータコアにおける最下面のステータコアの外径が、前記最上面のステータコアの下方に位置するステータコアの外径より大きく形成されていることを特徴としている。
このように構成することで、最上面のステータコアの外周縁部、最下面のステータコアの外周縁部およびそれらの間に配置されたステータコアの外周縁部により凹部が形成される。この凹部内に収まるようにコイルの渡り線を配設すると、コイルを巻回したステータをベースに取り付ける際に、より確実にコイルの渡り線がベースに接触することを防止することができる。したがって、コイルの渡り線を損傷することなくステータをベースに確実に組み付けることができる。
【００１７】
また、本発明に係るステータは、前記最下面のステータコアの環状部の外周縁部に前記コイルを係止するための切欠部が形成されていることを特徴としている。
このように構成することで、ある一つの歯極部にコイルを巻回した後に、次の歯極部（３つ先の歯極部）までステータコアの外周面に沿って渡り線を架設する際に、最上面の切欠部だけでなく、最下面の切欠部を使用することができる。したがって、コイルの巻き線パターンの自由度を増すことができる。
【００１８】
また、本発明に係るモータは、上記本発明のいずれかに記載のステータと、前記永久磁石を保持した状態で前記軸線回りに回転可能に支持された軸体と、を備えていることを特徴とするものである。
この発明に係るモータにおいては、薄型化・小型化したステータを備えているため、モータ自体の薄型化・小型化を図ることができる。また、コイルの渡り線を損傷することなく確実に組み付けることができるステータを備えているため、モータ自体の耐久性・信頼性を向上することができる。
【００１９】
また、本発明に係る記録媒体駆動装置は、上記本発明のモータと、前記軸体に設けられ、各種情報を記録可能な記録媒体を保持する保持部と、前記軸体を前記軸線回りに回転可能に支持する軸受部と、を備えていることを特徴とするものである。
この発明に係る記録媒体駆動装置においては、薄型化・小型化したモータを備えているため、装置自体の薄型化・小型化を図ることができる。また、耐久性・信頼性が向上したモータを備えているため、装置自体の耐久性・信頼性を向上することができる。
【発明の効果】
【００２０】
本発明に係るステータによれば、薄型化、小型化を図ることができると共に、コイルの渡り線を損傷することなく確実に組み付けることができる効果がある。
また、本発明に係るモータおよび記録媒体駆動装置によれば、薄型化・小型化を図ることができるとともに、耐久性・信頼性を向上することができる効果がある。
【発明を実施するための最良の形態】
【００２１】
（第一実施形態）
次に、本発明に係るステータ、モータおよび記録媒体駆動装置の第一実施形態を図１〜図６に基づいて説明する。
図１に示すように、記録媒体駆動装置１は、各種情報を記録可能なハードディスク（記録媒体）Ｄを軸線Ｌ回りに回転駆動するスピンドルモータ（モータ）２と、該スピンドルモータ２の後述するハブ（軸体）４に設けられ、上記ハードディスクＤを嵌合保持する嵌合部（保持部）４ｃと、ハブ４を軸線Ｌ回りに回転可能に支持する流体動圧軸受部（軸受部）３とを備えている。
【００２２】
スピンドルモータ２は、軸線Ｌ回りに回転可能に支持されたハブ４と、該ハブ４に保持された環状の永久磁石５と、該永久磁石５の周囲を囲むように配置されたステータ６とを備えている。
【００２３】
ハブ４は、軸線Ｌを中心として略円柱状に形成されたシャフト部４ａと、該シャフト部４ａの外周面から半径方向外方に延びて形成され、後述するスリーブ３ａの鍔部３ｂを上下から挟み込むように形成されたフランジ部４ｂとを備えている。また、ハブ４の上端は、ハードディスクＤの中心孔に挿通されて、該ハードディスクＤを嵌合保持する上記嵌合部４ｃとなっている。また、永久磁石５は、半径方向に沿った断面積が矩形状になるように形成されており、その外周面が軸線Ｌに平行な方向の面となっている。この永久磁石５は、フランジ部４ｂによって保持されている。
【００２４】
上記流体動圧軸受部３は、カップ状に形成され、基端部がベース７によって固定されたスリーブ３ａと、該スリーブ３ａと上記ハブ４との間に供給されたオイルＷとを備えている。このスリーブ３ａは、内側が断面円形状に形成されて上記シャフト部４ａが収容される収容部となっている。また、スリーブ３ａの上端には、半径方向外方に延びて形成された鍔部３ｂが形成されている。また、このスリーブ３ａとハブ４との間には、微小な隙間が空くように設計されており、その隙間にオイルＷが供給されている。なお、このオイルＷは、図示しないシールによって、永久磁石５側に漏れないようになっている。
【００２５】
また、フランジ部４ｂに対向する鍔部３ｂの上下の外表面には、へリングボーン溝と呼ばれる図示しないスラスト動圧発生溝が複数形成されている。また、スリーブ３ａの外周面に対向するシャフト部４ａの外表面にも同様に、図示しないヘリングボーン溝と呼ばれるラジアル動圧発生溝が複数形成されている。これにより、ハブ４が回転したときに、オイルＷがこれらスラスト動圧発生溝およびラジアル動圧発生溝に沿って流れて圧力が高まり、ハブ４が安定して回転するようになっている。
すなわち、これらスラスト動圧発生溝およびラジアル動圧発生溝は、流体動圧軸受部３を構成する一部である。
【００２６】
上記ステータ６は、永久磁石５の周囲を囲むように配されており、ステータコア１１とコイル１２とを備えている。ステータコア１１は、プレスなどにより打ち抜かれた磁性体（珪素鋼板など）が積層（例えば、３層）されて表面が図示しない絶縁膜でコーティングされたものである。
【００２７】
図２に示すように、ステータコア１１は環状に形成されたコアバック１１ａと、ティース（歯極部）１１ｂとを有している。なお、図３はステータコア１１およびコイル１２の上面詳細図であり、図４は図３に示すＡ−Ａ線に沿う断面図である。ティース１１ｂは、コアバック１１ａに基端側が固定されるとともに、永久磁石５側に向かう半径方向に延出するように形成され、軸線Ｌを中心として所定角度毎に複数設けられている。また、これら複数のティース１１ｂは、先端が永久磁石５の外周面に対向する先端部１１ｃとなっている。
【００２８】
図４に示すように、積層されたステータコア１１のうち、最上面（ディスクＤ側）に位置しているステータコア５１の外径は、その下方に配置されるステータコア５２の外径より大きくなっている。具体的には、最上面のステータコア５１のコアバック１１ａが、その下方に配置されるステータコア５２のコアバック１１ａより径方向に長くなるように形成されている。したがって、ステータコア１１の外周縁部には、最上面のステータコア５１の外周面とその下方に配置されたステータコア５２の外周面との間に段差部２１が形成されている。
【００２９】
また、図３に戻り、最上面のステータコア５１のコアバック１１ａの外周縁部に切欠部２２が形成されている。切欠部２２は例えば、ティース１１ｂが形成された径方向の軸線とコアバック１１ａの外周縁部との交点付近に形成されている。
このように構成されたステータコア１１は、図１に示すように、コアバック１１ａの下面がベース７上に載置された状態で固定される。
【００３０】
なお、本実施形態では、ティース１１ｂが３の倍数である９個（軸線Ｌ回りに４０度毎）形成されているステータコア１１を例に挙げて説明する。
コイル１２は、複数のティース１１ｂの周囲にそれぞれ巻回されている。この際、３相（Ｕ相、Ｖ相、Ｗ相）となるように、一本の導線が３つおきに（間を２つ空けて）巻回されている。つまり、図５に示すように、ティース１０１に同一の一本の導線が巻回されてＵ相を構成し、ティース１０２に別の一本の導線が巻回されてＶ相を構成し、ティース１０３にさらに別の一本の導線が巻回されてＷ相を構成している。
【００３１】
具体的には、図示しない巻き線機により１つのティース１１ｂに導線が２層に巻回されて（図４参照）１つ目のコイル１２が形成される。このとき、第１層の導線はティース１１ｂにおける軸線Ｌ側とは反対側から軸線Ｌ側に向かって巻回され、第２層の導線が軸線Ｌ側から外側に向かって巻回される。
【００３２】
１つ目のコイル１２が形成されると、コアバック１１ａの最上面において、コイル１２からの導線（すなわち渡り線２３）が切欠部２２に係止され、その後最上面のステータコア５１の下方の段差部２１に導かれ、反時計回りに導線（渡り線２３）が配設される。なお、渡り線２３は時計回りに架設してもよい。
渡り線２３は、反時計回りに周方向に導かれ、１つ目のコイル１２が形成されたティース１１ｂから反時計回りに数えて３番目のティース１１ｂへと導かれる。そして、当該３番目のティース１１ｂに導線が再び巻回されて２つ目のコイル１２が形成される。
【００３３】
２つ目のコイル１２が形成されると、導線はその２つ目のコイル１２が形成されたティース１１ｂから反時計回りに数えて３番目のティース１１ｂへと導かれる。そして、当該３番目のティース１１ｂに導線が再び巻回されて３つ目のコイル１２が形成される。３つ目のコイル１２からの渡り線２３は、図示しない回路基板へと導かれて回路基板上の接続端子にハンダにより接合される。なお、回路基板には、３つの接続端子（Ｕ相、Ｖ相、Ｗ相）と１つの共通グランド端子が形成されている。つまり、導線の一端は接続端子に、他端は共通グランド端子に接続される。
【００３４】
次に、まだコイル１２が形成されていない６つのティース１１ｂのうち、３つおきに配列形成された３つのティース１１ｂに、一本の導線で３つのコイル１２が順次形成された後、回路基板の接続端子および共通グランド端子に接続される。そして、３つおきに配列された残り３つのティース１１ｂにも３つのコイル１２が順次形成された後、回路基板の接続端子および共通グランド端子に接続されてステータ６の製造が終了する。このとき、１つのティース１１ｂから次のティース１１ｂへと渡される渡り線２３は全て上述したように、最上面のステータコア５１の切欠部２２に係止された後、最上面のステータコア５１の下方に形成された段差部２１内に架設されている。
【００３５】
その後、図６に示すように、ステータ６の最下面のコアバック１１ａをベース７に形成された突起部３１に当接させて、ステータ６がベース７に取り付けられる。このとき、ステータ６はベース７（突起部３１）に圧入や接着により取り付けられる。
【００３６】
次に、このように構成された記録媒体駆動装置１の動作について、以下に説明する。
まず、回路基板に形成された共通グランド端子をグランドに接続するとともに、残り３つの接続端子を三相交流電源にそれぞれ接続した後、各渡り線２３を介して各コイル１２に三相交流電流を供給する。すると、ティース１１ｂに巻回されたコイル（Ｕ相、Ｖ相、Ｗ相）１２により、ティース１１ｂが励磁されて磁界が発生する。この磁界により、永久磁石５およびハブ４を軸線Ｌ回りに回転させて、ハードディスクＤを回転させることができる。
【００３７】
またこの際、ステータコア１１は、永久磁石５の外周面に対向する先端部１１ｃをティース１１ｂの先端に有しているので、ステータコア１１と永久磁石５との間の磁束の受け渡しが密になる。したがって、ハブ４を効率良く回転させることができる。また、ハブ４の回転に伴って、オイルＷがスラスト動圧発生溝およびラジアル動圧発生溝に沿って流れるので圧力が高まる。これによりハブ４は、流体動圧軸受部３によってスラスト方向およびラジアル方向の力が支持されているので、滑らかに回転する。
【００３８】
本実施形態によれば、軸線Ｌ回りに回転する永久磁石５の周囲を囲むように配置され、軸線Ｌを中心として環状に形成されたコアバック１１ａと、コアバック１１ａに基端が固定されるとともに所定角度毎に永久磁石５に向かう半径方向に延出するように形成された複数のティース１１ｂと、複数のティース１１ｂの先端にそれぞれ形成されて永久磁石５の外周面に対向する先端部１１ｃと、を有するステータコア１１が複数枚積層され、積層されたステータコア１１のティース１１ｂにコイル１２が巻回されるステータ６において、積層されたステータコア１１における最上面のステータコア５１の外径を、その下方に位置するステータコア５２の外径より大きく形成するとともに、最上面のステータコア５１のコアバック１１ａの外周縁部にコイル１２を係止するための切欠部２２を形成した。
【００３９】
このように形成した複数のステータコアを積層すると、最上面のステータコア５１の外周縁部とその下方に配置されるステータコア５２の外周縁部との間に段差部２１が構成されるため、ある一つのティース１１ｂにコイル１２を巻回した後、その導線を切欠部２２に係止してステータコア１１の外周面に沿うように渡り線２３として架設するとき、渡り線２３はステータコア１１の外周に形成された段差部２１に収まるように配設することができる。
【００４０】
したがって、製造時にコイル１２を巻回したステータ６をベース７に取り付ける際に、コイル１２の渡り線２３が段差部２１内に隠蔽されるようになるため、コイル１２の渡り線２３がベース７の側壁７ａ（図６参照）に接触することを防止することができ、コイル１２の渡り線２３を損傷することなくステータ６をベース７に確実に組み付けることができる。また、ステータコア１１には最上面に切欠部２２が形成されているだけであるため、ステータ６の厚みを増すことなく薄型化を図ることができる。さらに、ステータコア１１の外周縁部より突出した位置に係止部などが設けられていないため、小型化を図ることができる。
【００４１】
さらに、本実施形態に係るモータ２は、本実施形態に記載のステータ６と、永久磁石５を保持した状態で軸線Ｌ回りに回転可能に支持されたハブ４と、を備えて構成した。
このように薄型化・小型化したステータ６を備えているため、モータ２自体の薄型化・小型化を図ることができる。また、コイル１２の渡り線２３を損傷することなく確実に組み付けることができるステータ６を備えているため、モータ２自体の耐久性・信頼性を向上することができる。
【００４２】
そして、本実施形態に係る記録媒体駆動装置１は、本実施形態に記載のモータ２と、ハブ４に設けられ、各種情報を記録可能なハードディスクＤを保持する嵌合部４ｃと、ハブ４を軸線Ｌ回りに回転可能に支持する流体動圧軸受部３と、を備えて構成した。
このように薄型化・小型化したモータ２を備えているため、装置１自体の薄型化・小型化を図ることができる。また、耐久性・信頼性が向上したモータ２を備えているため、装置１自体の耐久性・信頼性を向上することができる。
【００４３】
（第二実施形態）
次に、本発明に係るステータ、モータおよび記録媒体駆動装置の第二実施形態を図７に基づいて説明する。なお、本実施形態は第一実施形態とステータの構成が異なるのみでその他の構成は略同一であるため、同一箇所には同一符号を付して詳細な説明は省略する。
図７に示すように、本実施形態のステータ１０６のステータコア１１１は、プレスなどにより打ち抜かれた磁性体が４層積層されている。
【００４４】
ここで、積層されたステータコア１１１のうち、最上面（ディスクＤ側）に位置しているステータコア１５１および最下面（ベース７側）に位置しているステータコア１５３の外径は略同一に形成されており、その外径は、それらの間に配置されたステータコア１５２の外径より大きくなっている。具体的には、最上面および最下面のステータコア１５１，１５３のコアバック１１ａが、それらの間に配置されるステータコア１５２のコアバック１１ａより径方向に長くなるように形成されている。したがって、ステータコア１１１の外周縁部には、最上面および最下面のステータコア１５１，１５３の外周面とそれらの間に配置されたステータコア１５２の外周面との間に凹部１２１が形成されている。
【００４５】
なお、最上面のステータコア１５１の外径と最下面のステータコア１５３の外径は同一でなくてもよい。つまり、最上面および最下面のステータコア１５１，１５３の外周面とそれらの間に配置されたステータコア１５２の外周面との間に凹部１２１が形成されるように構成すればよい。
【００４６】
また、最上面および最下面のステータコア１５１，１５３のコアバック１１ａの外周縁部には切欠部２２がそれぞれ形成されている（図３参照）。切欠部２２は例えば、ティース１１ｂが形成された径方向の軸線とコアバック１１ａの外周縁部との交点付近に形成されている。
このように構成されたステータコア１１１は、図６に示すように、ステータ１０６の最下面のコアバック１１ａがベース７の突起部３１上に載置された状態で固定される。
【００４７】
本実施形態によれば、積層されたステータコア１１１における最下面のステータコア１５３の外径を、最上面のステータコア１５１の外径と略同一径に形成した。
このように構成したため、最上面のステータコア１５１の外周縁部、最下面のステータコア１５３の外周縁部およびそれらの間に配置されたステータコア１５２の外周縁部により凹部１２１が形成される。この凹部１２１内に収まるようにコイル１２の渡り線２３を配設すると、コイル１２を巻回したステータ１０６をベース７に取り付ける際に、より確実にコイル１２の渡り線２３がベース７の側壁７ａに接触することを防止することができる。したがって、コイル１２の渡り線２３を損傷することなくステータ１０６をベース７に確実に組み付けることができる。
【００４８】
また、最下面のステータコア１５３のコアバック１１ａの外周縁部にコイル１２の導線を係止するための切欠部２２を形成した。
このように構成したため、ある一つのティース１１ｂにコイル１２を巻回した後に、次のティース１１ｂ（３つ先のティース１１ｂ）までステータコア１１１の外周面に沿って渡り線２３を架設する際に、最上面の切欠部２２だけでなく、最下面の切欠部２２を使用することができる。したがって、コイル１２の巻き線パターンの自由度を増すことができる。
【００４９】
また、本実施形態に係るモータ２は、本実施形態に記載のステータ１０６と、永久磁石５を保持した状態で軸線Ｌ回りに回転可能に支持されたハブ４と、を備えて構成した。
このように薄型化・小型化したステータ１０６を備えているため、モータ２自体の薄型化・小型化を図ることができる。また、凹部１２１内にコイル１２の渡り線２３を架設することができ、コイル１２の渡り線２３を損傷することなくより確実に組み付けることができるステータ１０６を備えているため、モータ２自体の耐久性・信頼性をより一層向上することができる。
【００５０】
そして、本実施形態に係る記録媒体駆動装置１は、本実施形態に記載のモータ２と、ハブ４に設けられ、各種情報を記録可能なハードディスクＤを保持する嵌合部４ｃと、ハブ４を軸線Ｌ回りに回転可能に支持する流体動圧軸受部３と、を備えて構成した。
このように薄型化・小型化したモータ２を備えているため、装置１自体の薄型化・小型化を図ることができる。また、耐久性・信頼性がより一層向上したモータ２を備えているため、装置１自体の耐久性・信頼性をより一層向上することができる。
【００５１】
尚、本発明の技術範囲は、上述した実施形態に限定されるものではなく、本発明の趣旨を逸脱しない範囲において、上述した実施形態に種々の変更を加えたものを含む。すなわち、実施形態で挙げた具体的な材料や構成等は一例にすぎず、適宜変更が可能である。
例えば、本実施形態において、段差部が形成されたステータコアは３層積層構造のものを採用した場合の説明をしたが、２層以上積層されていればよい。また、凹部が形成されたステータコアは４層積層構造のものを採用した場合の説明をしたが、３層以上積層されていればよい。つまり、段差部および凹部内にコイルの渡り線が収まる構成であればよい。
また、本実施形態において、切欠部はティースが形成された径方向の軸線とコアバックの外周縁部との交点付近に形成した場合の説明をしたが、切欠部の位置はコアバックの外周縁部沿いであれば位置は拘らない。ただし、上記実施形態の位置に切欠部を形成すると、ステータコア表面に露出するコイルの導線の長さを最短にすることができるため好ましい。
【図面の簡単な説明】
【００５２】
【図１】本発明の実施形態における記録媒体駆動装置の概略構成断面図である。
【図２】本発明の実施形態におけるステータの上面図である。
【図３】本発明の実施形態におけるステータの部分詳細上面図である。
【図４】本発明の第一実施形態における図３のＡ−Ａ線に沿う断面図である。
【図５】本発明の実施形態におけるコイルの構成を示す説明図である。
【図６】本発明の第一実施形態におけるステータを記録媒体駆動装置に取り付けたときの部分断面図である。
【図７】本発明の第二実施形態における図３のＡ−Ａ線に沿う断面図である。
【図８】従来の記録媒体駆動装置の概略構成断面図である。
【図９】従来のステータの構成を示す部分上面図である。
【図１０】図９のＢ−Ｂ線に沿う断面図である。
【符号の説明】
【００５３】
１…記録媒体駆動装置  ２…スピンドルモータ（モータ）  ３…流体動圧軸受部（軸受部）  ４…ハブ（軸体）  ４ｃ…嵌合部（保持部）  ５…永久磁石  ６，１０６…ステータ  １１，１１１…ステータコア  １１ａ…コアバック（環状部）  １１ｂ…ティース（歯極部）  １１ｃ…先端部  １２…コイル  ２２…切欠部  ５１，１５１…最上面のステータコア  ５２…下方に位置するステータコア  １５３…最下面のステータコア  Ｄ…ハードディスク（記録媒体）  Ｌ…軸線
【図１】
2009060693.tif 000003
【図２】
2009060693.tif 000004
【図３】
2009060693.tif 000005
【図４】
2009060693.tif 000006
【図５】
2009060693.tif 000007
【図６】
2009060693.tif 000008
【図７】
2009060693.tif 000009
【図８】
2009060693.tif 000010
【図９】
2009060693.tif 000011
【図１０】
2009060693.tif 000012